(57)【特許請求の範囲】
【請求項１】
商用交流電源を整流する整流部と、該整流部の出力電圧を平滑するチョークコイル及び平滑コンデンサからなる平滑部と、該平滑部からの出力に従って可変周波数及び可変電圧を出力するインバータ部とを含むインバータシステムにおいて、
前記商用交流電源から前記整流部に入力される前記商用交流電源の入力電圧を感知する入力電圧感知部と、
前記商用交流電源から前記整流部に入力される前記商用交流電源の入力電流を感知する入力電流感知部と、
前記平滑コンデンサの前段に並列に接続されたスイッチング素子と、
前記スイッチング素子をオン又はオフさせる制御部とを有し、
前記制御部は、電源印加の初期に前記スイッチング素子をオン又はオフさせ、前記平滑コンデンサへの電流と前記インバータ部に供給される電圧を調整することによりパルス振幅変調駆動を行い、前記感知した前記入力電圧と入力電流との波形を比較して、同相になった場合にのみ駆動信号を送出して、インバータ及び負荷を駆動させることを特徴とするインバータシステムの駆動装置。
【請求項２】
商用交流電源を整流する整流部と、該整流部の出力電圧を平滑するチョークコイル及び平滑コンデンサからなる平滑部と、該平滑部からの出力に従って可変周波数及び可変電圧を出力するインバータ部とを含むインバータシステムの駆動方法において、
電源印加初期に前記平滑コンデンサの前段に並列で接続されたスイッチング素子をオン又はオフさせて前記平滑コンデンサへの電流と前記インバータ部に供給される電圧を調整することによりパルス振幅変調駆動を行う第１段階と、
前記第１段階でパルス振幅変調駆動を所定時間行った後、前記商用交流電源から前記整流部に入力される前記商用交流電源の入力電圧と入力電流を感知する第２段階と、
前記第２段階で感知された入力電圧と入力電流との波形を比較する第３段階と、
前記第３段階で比較した入力電圧と入力電流とが同相であれば、駆動信号を送出してインバータ及び負荷を駆動させ、同相でない場合、該駆動信号の送出を停止してインバータ及び負荷を駆動させない第４段階と、を行うことを特徴とするインバータシステムの駆動方法。
【発明の詳細な説明】
【０００１】
【発明の属する技術分野】
本発明は、インバータ駆動装置及びその駆動方法に関するもので、詳しくは、ＰＡＭ（Pulse Amplitude Modulation、パルス振幅変調）機能を選択的に動作させることにより、電源印加の初期及びインバータ装置の駆動初期並びにＰＡＭスイッチング素子駆動時に、その周辺で生じる干渉問題を解決してＰＡＭ機能をより効率的かつ経済的に駆動し得るインバータの力率補正装置と、インバータ及び負荷を駆動するとき、入力電圧と入力電流の波形が同相である時のみインバータを駆動させて効率的かつ経済的に駆動し得るインバータシステムの力率補正装置及びその方法、特に、ＰＡＭ機能が働くとき、インバータ及び負荷を駆動させてノイズを低減させ、電源電圧が低電圧である場合、効率を優先視するインバータ及び負荷制御だけを行うようにしたインバータシステムの力率補正蔵置及びその方法に関するものである。
【０００２】
【従来の技術】
最近、省エネルギー及び出力制御の容易性の面から家電製品の多くの部分でインバータ（Inverter）化が進行され、例えば、インバータにより駆動されるモータを適用した洗濯機及び冷蔵庫なども開発されて発売されつつある。
従来のインバータ装置においては、図６に示したように、入力される商用交流電源をダイオードブリッジにより直流電圧に整流する整流部１１と、該整流部１１から出力された電圧を平滑させ出力するチョークコイル１２および平滑用のコンデンサ１３と、それらチョークコイル１２および平滑用コンデンサ１３により平滑された直流電圧をパルス幅変調（ＰＷＭ）により再び３相の交流電源に変換させてモータＭを駆動させるインバータ１４と、を包含して構成されていた。
【０００３】
以下、このように構成された従来のインバータ装置の動作を、図７に基づいて説明する。
先ず、図７（Ａ）に示したような商用交流電源の電圧波形と、図７（Ｂ）に示したような商用交流電源の電流波形を有する交流電源を整流部１１に供給すると、該整流部１１はダイオードブリッジを用いて直流電圧に整流した後、チョークコイル１２に出力する。
【０００４】
すると、前記チョークコイル１２及び平滑用コンデンサ１３は前記整流部１１から出力された直流電圧に含まれている交流成分を除去した直流電圧をインバータ１４に出力する。
このとき、前記インバータ１４に入力される直流電圧は、入力交流電源のピーク値よりも大きい電圧になる。
【０００５】
よって、前記インバータ１４は、前記平滑用コンデンサ１３から入力される直流電圧をスイッチング素子のオン／オフ動作により３相の交流電源に変換してモータＭに提供してモータを駆動する。
なお、前記図７（Ｂ）において、時間ｔは、前記チョークコイル１２及び平滑用コンデンサ１３の時定数により決められる時間であり、通常、商用交流電源の１／５以下である。
【０００６】
ここで、力率が１であると仮定すると、インバータに流れる電流波形は入力される商用交流電源と同じ位相であり、図７（Ｃ）に示したように、最大電流値より極めて小さいピーク電流を有する理想的な電流波形を形成するため、ノイズ及び無効電力が減少される効果があり、先進国では図７（Ｃ）に示したような波形を形成することを法制化しつつあり、そこで、インバータシステムに力率改善回路を適用する方法が採択されていた。
【０００７】
従来のインバータシステムの力率補正装置においては、図８に示したように、商用交流電源ＡＣを整流する整流部１００と、該整流部１００の出力電圧が平滑するチョークコイルＬ１と、該チョークコイルＬ１の出力電圧が整流用ダイオードＤ１を経て入力され、再平滑する平滑用コンデンサＣ１と、使用者によりＰＡＭモードに設定されると、それに応じてＰＡＭ駆動制御信号を出力する制御部１３０と、コレクタが前記チョークコイルＬ１の後段に接続され、エミッタが接地され、ベースに前記制御部１３０からのＰＡＭ駆動制御信号を印加されて導通制御されるＰＡＭ制御用トランジスタＮ１と、前記平滑用コンデンサＣ１の直流電圧をパルス幅変調（ＰＷＭ）により可変周波数および可変電圧に変換するインバータ部１１０と、該インバータ部１１０の制御により駆動するモータ１２０と、を備えて構成されていた。
【０００８】
以下、このように構成された従来のインバータ装置の力率補正装置の動作について説明する。
まず、整流部１００は商用交流電源ＡＣの入力を受けて整流した後出力し、チョークコイルＬ１および平滑用コンデンサＣ１は前記整流部１００の整流信号を平滑した直流電圧をインバータ部１１０に印加し、該インバータ部１１０は前記平滑用コンデンサＣ１の直流電圧をパルス幅変調により可変周波数および可変電圧に変換させて、モータ１２０を駆動する。
【０００９】
このとき、制御部１３０はＰＡＭ制御用トランジスタＮ１のオン／オフを制御し負荷（モータ）に供給される電源を入力商用交流電源ＡＣと同じ位相にするとともに、商用交流電源ＡＣの最大電流値よりも小さいピーク電流を有するように力率を補正する。
従来のインバータシステムの力率改善回路をより詳しく説明すると、図９に示したように、入力される商用交流電源をダイオードブリッジにより直流電圧に整流する整流部３１と、該整流部３１から出力される電圧を平滑して出力するチョークコイル３２および平滑用コンデンサ３３と、それらチョークコイル３２および平滑用コンデンサ３３のより平滑された直流電圧をパルス幅変調（ＰＷＭ）により、再び３相の交流電源に変換させてモータＭを駆動させるインバータ３６と、前記整流部３１の出力電圧及び前記平滑用のコンデンサ３３の両段に印加される電圧を比較器、マルチプレクサ、ＮＡＮＤゲート、ＮＯＲゲートなどを用いて全体的な入力電流と電圧とを一致させるために、パルス幅デューティを可変させるアナログ力率改善部３４及び該アナログ力率改善部３４により可変されたパルス幅デューティによりオン／オフされ、前記平滑用コンデンサ３３の充／放電動作を制御するスイッチング素子Ｑ１により構成され、力率を補正する力率補正部３５と、を備えて構成されていた。
【００１０】
以下、このように構成された従来のインバータシステムの力率補正回路の動作に対し、図９及び図１０を用いて説明する。
先ず、力率補正装置に商用交流電源が印加されると、整流部３１は直流電圧に整流して出力し、このように出力される直流電圧は力率補正部３５の各抵抗Ｒ１、Ｒ２により分圧された後、アナログ力率改善部３４の第３端子ＶＭ１に入力される。
【００１１】
一方、チョークコイル３２により誘起された電圧は抵抗Ｒ５を介して前記アナログ力率改善部３４の第５端子Ｉｄｅｔに入力され、また、前記チョークコイル３２により誘起された電圧が抵抗Ｒ４、ダイオードＤ１及びコンデンサＣ１により調整された電圧と抵抗Ｒ３により調整された電圧とが加算されて前記アナログ力率改善部３４の第８端子ＶＣＣに入力される。このとき、前記第８端子ＶＣＣを介して継続して入力電圧を受ける理由は、力率制御の際、入力電圧の波形と同一波形を形成するためである。
【００１２】
且つ、前記整流部３１の出力電圧は前記チョークコイル３２及びダイオードＤ２を経由してインバータ３６に入力された後、各抵抗Ｒ１１〜Ｒ１３により分圧されて前記アナログ力率改善部３４の第１端子ＩＮＶに入力され、更に、前記分圧された電圧はコンデンサＣ２及び各抵抗Ｒ７、Ｒ８の時定数により調節されて前記アナログ力率改善部３４の第２端子ＣＯＭＰに入力され、一方、前記インバータ３６に供給される電流に該当する電圧、即ち、コンデンサＣ３により決定される電圧は前記アナログ力率改善部３４の第４端子ＣＳに入力される。
【００１３】
次いで、前記アナログ力率改善部３４は、図１０に示したように、各比較器３４１、３４６、３４９、マルチプレクサ３４７、各ＮＡＮＤゲート３４３、３４４、セルフスタータ（ＳＥＬＦ−ＳＴＡＲＴＥＲ）３４２及びＮＯＲゲート３４５などにより入力電圧と前記インバータ３６の出力電圧とを比較して、それら電圧が一致するように調合したパルスを出力し、図１１（Ａ）（Ｂ）に示したように、サイン波の低い部分ではデューティを大きくし、サイン波の高い部分ではデューティを小さくさせるパルスを第７端子Ｖｏｕｔを介して出力する。
【００１４】
次いで、前記アナログ力率改善部３４の第７端子Ｖｏｕｔを介して出力されたパルスはスイッチング素子Ｑ１のゲートに入力され、該スイッチング素子Ｑ１がパルスに対応してオン／オフされて入力電流及び入力電圧の位相を一致させるため、力率が補正されるようになっていた。
【００１５】
【発明が解決しようとする課題】
然るに、このような従来のインバータシステムの力率補正装置においては、ＰＡＭ機能を選択的に動作することができないので、電源の印加初期及びインバータモータの駆動初期並びにＰＡＭスイッチング素子の駆動時に周辺に発生する干渉問題に適切に対処することができず、また、アナログ方式を用いるため、周辺回路が複雑で、信号制御が困難であることから、インバータ及び負荷を効率的に駆動することができないという不都合な問題があった。
【００１６】
本発明は、このような従来の課題を鑑みてなされたもので、ＰＡＭ機能を選択的に動作させることにより、電源の印加初期及びインバータモータの駆動初期並びにＰＡＭスイッチング素子の駆動時に周辺で発生する干渉問題を解決して、ＰＡＭ機能を効率的かつ経済的に駆動し得るインバータシステムの力率補正装置を提供することを目的とする。
【００１７】
そして、本発明の他の目的は、力率補正回路をディジタルで具現するため、回路の構成が簡単で、信号制御を容易に遂行してＰＡＭ機能を効率的に行い得るソフトスタートＰＡＭ駆動回路の駆動方法を提供しようとする。
且つ、本発明のその他の目的は、初期にＰＡＭ機能で駆動させて、入力電流と入力電圧との波形が同相である場合のみインバータ及び負荷を駆動させ、ノイズを低減させることにより経済的に駆動し得るソフトスタートパム駆動回路の駆動方法を提供しようとする。
【００１８】
また、本発明のその他の目的は、初期にＰＡＭ機能で駆動させて、入力電流と入力電圧の波形が同相である場合のみインバータ及び負荷を駆動させ、電源電圧が低電圧である場合、効率を優先視するインバータ及び負荷のみを制御し得るソフトスタートＰＡＭ駆動回路の駆動方法を提供しようとする。
【００１９】
【課題を解決するための手段】
このような目的を達成するため、本発明に係るインバータシステムの力率補正装置においては、商用交流電源を整流する整流部と、該整流部の出力電圧を平滑するチョークコイルと、該チョークコイルの出力電圧を整流用ダイオードを経て入力され、更に平滑する平滑用コンデンサと、コレクタが前記チョークコイルの後段に接続され、エミッタが接地され、ベースにＰＡＭ駆動制御信号が印加されて導通制御されるＰＡＭ制御用のトランジスタと、を包含するインバータシステムにおいて、使用者によりＰＡＭモードに設定されると、それに応じてＰＡＭ駆動制御信号及びリレー駆動制御信号を出力する制御部と、前記制御部のリレー駆動制御信号の入力を受けてリレー駆動信号を出力するリレー駆動部と、該リレー駆動部の駆動信号によりＰＡＭモードまたは正常モードを選択するリレーと、を包含して構成されている。
【００２０】
【発明の実施の形態】
以下、本発明の実施の形態に対し、図面を用いて説明する。
本発明に係るインバータシステムの力率補正装置の第１実施形態においては、図１に示したように、商用交流電源ＡＣを整流する整流部１００と、前記整流部１００の出力電圧を平滑するチョークコイルＬ１と、前記チョークコイルＬ１の出力電圧を整流用のダイオードＤ１を経て入力され、再平滑する平滑用コンデンサＣ１と、使用者によりＰＡＭモードに設定されると、ＰＡＭ駆動制御信号及びリレー駆動制御信号を出力する制御部２００と、コレクタが前記チョークコイルＬ１の後段に接続され、エミッタが接地され、ベースに前記制御部２００のＰＡＭ駆動制御信号が印加されて導通制御されるＰＡＭ制御用トランジスタＮ１と、第１入力段ＮＣが前記チョークコイルＬ１の前段に連結され、第２入力段ＮＯが前記ＰＡＭ制御用トランジスタＮ１のコレクタに連結され、リレー駆動信号により第１入力段ＮＣまたは第２入力段ＮＯに転換されるリレー２２０と、前記制御部２００からリレー駆動制御信号を入力され、それによりリレー駆動信号を出力するリレー駆動部２１０と、から構成されている。
【００２１】
ここで、前記リレー駆動部２１０は、前記制御部２００のリレー駆動制御信号によりオン／オフ制御されるＮＰＮ型トランジスタＮ２と、逆電流防止用ダイオードＤ２と並列連結され、前記ＮＰＮ型トランジスタＮ２がオンになるときに励磁されるリレー励磁コイルＬ２と、からなる。
以下、このように構成される本発明に係るインバータシステムの力率補正装置の動作について説明する。
【００２２】
先ず、一般的な動作は従来と同一である。即ち、整流部１００は入力された商用交流電源ＡＣを整流し、またチョークコイルＬ１および平滑用のコンデンサＣ１は、前記整流部１００の整流信号を平滑し、それに応じる直流電圧をインバータ部１００に印加すると、前記インバータ部１１０は前記平滑用コンデンサＣ１の直流電圧をパルス幅変調を通じて可変周波数および可変電圧に変換してモータ１２０を駆動する。ここで、制御部２００はＰＡＭ制御用トランジスタＮ１のオン／オフを制御し入力商用交流電源ＡＣと同一な位相にさせるとともに、商用交流電源ＡＣの最大電流値よりも小さいピーク電流を有するようにして力率を補正する。
【００２３】
ここで、本発明は、リレー２２０及びリレー駆動部２１０を追加包含して構成することによりＰＡＭ機能を選択的に動作させて、電源印加の初期、モータ駆動の初期及びＰＡＭスイッチング素子の駆動時に周辺に発生する干渉問題に対し、適切に対処することができる。
ここで、図１のように、前記リレー２２０の第１入力段ＮＣを前記ＬＩの前段に連結し、第２入力段ＮＯを前記ＰＡＭ制御用のトランジスタＮ１のコレクタに連結するか、又は前記第１入力段ＮＣをチョークコイルＬ１の後段に連結してＰＡＭモードを選択して切り換えることができる。
【００２４】
より詳しく説明すると、図１のようにリレー２２０が第１入力段ＮＣに接続されるようにセットされた場合、使用者が必要に応じてＰＡＭモードを設定すると、リレー駆動部２１０は制御部２００からリレー駆動制御信号を入力され、それに応じるリレー駆動信号により前記リレー２２０を第２入力段ＮＯに切り換えて、ＰＡＭモードで動作し、一般モードで動作する場合は、前記リレー２２０の接点を第１入力段ＮＣに切り換え商用電源ＡＣを直接整流することにより、一般的なモータ１２０の駆動制御を行う。
【００２５】
ここで、前記リレー駆動部２１０のＮＰＮ型トランジスタＮ２は高電位のリレー駆動制御信号によりターンオンされてリレー励磁コイルＬ２を励磁させ、リレー２２０を第２入力段ＮＯに切り換えＰＡＭモードに設定し、反対に低電位のリレー駆動制御信号が入力されると、ＮＰＮ型トランジスタＮ１はターンオフされて前記リレー２２０を第１入力段ＮＣに切り換え、一般モードに設定する。ここで、前記リレー２２０の初期設定は使用者により決められる。
【００２６】
すなわち、本発明は、使用者の選択によりリレー２２０を第１入力段ＮＣまたは第２入力段ＮＯに切り換えることにより、ＰＡＭモードまたは一般モードで動作させるため、電源印加の初期、インバータモータの駆動初期およびＰＡＭスイッチング素子の駆動時に周辺に発生する干渉問題に能動的に対処することができる。
【００２７】
そして、本発明に係るインバータシステムの力率補正装置の第２実施形態においては、図２に示したように、ハイブリッド方式のインバータ力率補正装置である。
且つ、ＰＡＭモードで動作する本発明は、初期にインバータ及び負荷をＰＡＭで駆動させる第１段階と、前記第１段階でＰＡＭ駆動を一定時間行った後、入力電圧と入力電流とを感知する第２段階と、前記第２段階で感知した入力電圧と入力電流の波形を比較する第３段階と、前記第３段階で比較する入力電圧と入力電流が同相であるとインバータ及び負荷を駆動させ、同相でないと、インバータ及び負荷を駆動させない第４段階と、を順次行うことを特徴とする。
【００２８】
以下、添付した図面を用いて詳しく説明する。
図３は、本発明に係るインバータシステムの構成図である。
即ち、商用交流電源をダイオードブリッジを経て直流電圧に整流する整流部６１と、前記出力電圧を平滑させて出力させるチョークコイル６２および平滑用コンデンサ６３と、それらチョークコイル６２および平滑用コンデンサ６３を通じて直流電圧をパルス幅変調（ＰＷＭ）により３相の交流電源に変換させてモータＭを駆動させるインバータ６４と、前記平滑用のコンデンサ６３の前段に並列で連結され、オン／オフ動作により前記平滑用のコンデンサ６３に流れる電流と前記インバータ及び負荷６４に供給される電圧とを調整し、ＰＡＭ駆動を行わせるスイッチング素子Ｑ１と、入力される商用電源の入力電圧を感知する入力電圧感知部６６と、入力電流を感知する入力電流感知部６７と、前記感知された入力電圧と入直電流の波形を比較し、同相になった場合のみ前記スイッチング素子Ｑ１をオン／オフさせてインバータ及び負荷を駆動させる制御部と、を包含して構成されている。
【００２９】
且つ、本発明に係るインバータシステムの駆動過程においては、図５に示したようで、先ず、初期にインバータ及び負荷をＰＡＭで駆動させる第１段階と、前記第１段階でＰＡＭ駆動を一定時間行った後、入力電圧と入力電流を感知する第２段階と、前記第２段階で感知した入力電圧と入力電流の波形とを比較する第３段階と、前記第３段階で比較した入力電圧と入力電流とが同相であれば、インバータを及び負荷を駆動させ、同相でないとインバータ及び負荷を駆動させない第４段階と、を順次行うようになっている。
【００３０】
以下、このように構成された本発明に係るインバータシステムの動作および作用効果について、詳しく説明する。
先ず、商用交流電源の入力時、これを整流部６１に入力して整流した直流電圧を出力する。
すると、チョークコイルおよび平滑用コンデンサ６３は入力電圧を制限し、必要な電流が流れるようにし、入力電圧を平滑させインバータ／負荷６４で供給する。
【００３１】
ここで、前記インバータ及び負荷６４は、前記平滑用コンデンサ６３で平滑された直流電圧をパルス変調により３相の交流電源に変換させ、モータＭに提供させることにより、負荷を駆動させる。
なお、電源印加の初期に、制御部６５はスイッチング素子Ｑ１をオンまたはオフさせ、前記平滑用コンデンサ６３に流れる電流と電圧とを調整しＰＡＭ駆動を行う。
【００３２】
もし、前記制御部６５がＰＡＭ駆動しない場合、入力電流と入力電圧の波形は図４（Ａ）に示すような波形を表し、また、ＰＡＭ駆動が行われる場合は入力電流と入力電圧の波形は図４（Ｂ）に示す通りである。
即ち、ＰＡＭ駆動が行われない場合は、入力電流と入力電圧との位相は相異するが、ＰＡＭ駆動時は入力電流と入力電圧の位相は同相になる。
【００３３】
ここで、入力電圧感知部６６と入力電流感知部６７とは、整流部６１を通じてインバータ及び負荷側から入力される電圧と電流とを感知して前記制御部６５に提供する。
上述したように、初期からＰＡＭ駆動でインバータ及び負荷を動作させて所定時間が経過すると、前記制御部６５は前記入力電圧感知部６６と入力電流感知部６７で提供される入力電圧と入力電流を受け入れる。
【００３４】
併し、図４（Ａ）に示したように、入力電圧を感知して、電流と電圧との位相が一致しない場合は、インバータ及び負荷６４を駆動させない。なぜならば、前記入力電圧と入力電流の位相が一致しない状態でインバータ及び負荷６４を駆動させると、効率が低減し、その周辺にノイズによる干渉現状が発生する。
しかし、所定時間が経過すると、図４（Ｂ）に示したように、入力電圧と入力電流の位相が一致されるが、この際、制御部６５はインバータ及び負荷６４を駆動する駆動信号を送り出し、インバータ／負荷６４を駆動する。
【００３５】
ここでの制御部６５の駆動信号は球形波である。
このように、入力電圧と入力電流とが同相である場合、インバータ及び負荷６４を駆動させるとより効率的かつ経済的であり、またノイズを軽減することができる。
さらに、入力される電源電圧が低電圧である場合、ＰＡＭで駆動させず、インバータ／負荷６４だけを駆動させることにより、効率を優先するインバータ及び負荷６４に有利である。
【００３６】
上述した過程について、図５に基づいて説明する。
図５によると、インバータシステムの力率補正装置を初期にＰＡＭで駆動させる（Ｓ１０１）。
このように初期にＰＡＭ駆動を行った後、一定の時間が経過すると、入力電流と入力電圧の波形を感知する（Ｓ１０２）。
【００３７】
その後、前記感知した入力電流と入力電圧の波形の位相を比較し（Ｓ１０３）、同相であると（Ｓ１０４）インバータ及び負荷６４を駆動させ（Ｓ１０５）、同相でない（Ｓ１０４）とインバータ及び負荷６４を駆動しないように（Ｓ１０６）効率的に駆動させることができる。
【００３８】
【発明の効果】
以上説明したように、本発明に係るインバータシステムの力率補正装置においては、ＰＡＭ機能を選択的に動作させ、電源印加の初期、インバータモータの駆動初期およびＰＡＭスイッチング素子の駆動時に周辺に発生する干渉問題を解決して、ＰＡＭ機能をより効率的かつ経済的に駆動する効果がある。
【００３９】
また、本発明はインバータ及び負荷を駆動する際、初期にＰＡＭを駆動させた後、所定時間が経過すると、入力電圧と入力電流の波形を感知し、同相の場合、インバータ及び負荷を駆動させ、同相でない場合はインバータ及び負荷を駆動させないようにすることにより、より効率的かつ経済的な駆動を行うと共に、ノイズを低減させ、干渉現状を防止することができる。
【００４０】
また電源電圧が低電圧である場合は効率を優先視するインバータ及び負荷だけを制御することができるという効果がある。
【図面の簡単な説明】
【図１】本発明に係るインバータの力率補正装置の第１実施形態を示したブロック図である。
【図２】本発明に係るインバータの力率補正装置の第２実施形態を示したブロック図である。
【図３】本発明に係るインバータシステムを示したブロック図ある。
【図４】本発明に係るインバータシステムにおける、ＰＡＭ駆動が行われない場合の入力電圧と入力電流の波形図と、ＰＡＭ駆動が行われる場合の入力電圧と入力電流の波形図である。
【図５】本発明に係るインバータシステムの動作過程を示したフローチャートである。
【図６】従来のインバータシステムを示したブロック回路図である。
【図７】図６の各部の入出力の波形図である。
【図８】従来のインバータシステムの力率補正装置を示した回路図である。
【図９】図８の詳細図である。
【図１０】図９のアナログ力率改善部を示した詳細図である。
【図１１】図９における、各部の入出力の波形図である。
【符号の説明】
６１…整流部
６２…チョークコイル
６３…平滑用コンデンサ
６４…インバータ及び負荷
６５…制御部
６６…入力電流感知部
６７…入力電圧感知部
１００…整流部
１１０…インバータ部
１２０…モータ
２００…制御部
２１０…リレー駆動部
２２０…リレー
【図１】
0004558862.tif 000002
【図２】
0004558862.tif 000003
【図３】
0004558862.tif 000004
【図４】
0004558862.tif 000005
【図５】
0004558862.tif 000006
【図６】
0004558862.tif 000007
【図７】
0004558862.tif 000008
【図８】
0004558862.tif 000009
【図９】
0004558862.tif 000010
【図１０】
0004558862.tif 000011
【図１１】
0004558862.tif 000012